【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】
遊技盤面に入賞口と遊技球の流下方向を変化させる障碍釘を備えたパチンコ機であって、
前記遊技盤が立設状態で水平方向に回動する回動障碍釘を前記入賞口の上部に遊技球が通過する間隔を隔てて２本対で設けたことを特徴とするパチンコ機。
【請求項２】
遊技盤面に入賞口と遊技球の流下方向を変化させる障碍釘を備えたパチンコ機であって、
前記遊技盤が立設状態で水平方向に回動する回動障碍釘を２本対で設けると共に一方が起立すると他方が傾倒し、一方が傾倒すると他方が起立することを特徴とするパチンコ機。
【請求項３】
遊技盤面に入賞口と遊技球の流下方向を変化させる障碍釘を備えたパチンコ機であって、
前記遊技盤が立設状態で水平方向に回動する回動障碍釘を設けると共に該回動障碍釘の先端が光るように光源を備えたことを特徴とするパチンコ機。
【請求項４】
遊技盤面に入賞口と遊技球の流下方向を変化させる障碍釘を備えたパチンコ機であって、
前記遊技盤が立設状態で水平方向に回動する回動障碍釘を設けると共に該回動障碍釘にのれん状帯体を吊り下げるように設けたことを特徴とするパチンコ機。
【請求項５】
前記回動障碍釘は、水平方向の０度から起立状態の９０度に、更に傾倒して水平状態の１８０度に回動することを特徴とする請求項１乃至４のいずれかに記載のパチンコ機。
【手続補正２】
【補正対象書類名】明細書
【補正対象項目名】０００３
【補正方法】変更
【補正の内容】
【０００３】
【特許文献１】実開平５−５３６８７号公報
【特許文献２】特開２００１−２６９４４９号公報
【手続補正３】
【補正対象書類名】明細書
【補正対象項目名】０００６
【補正方法】変更
【補正の内容】
【０００６】
【課題を解決するための手段】
本発明は、遊技盤面に入賞口と遊技球の流下方向を変化させる障碍釘を備えたパチンコ機であって、前記遊技盤が立設状態で水平方向に回動する回動障碍釘を前記入賞口の上部に遊技球が通過する間隔を隔てて２本対で設けたことを特徴とする。
即ち盤面と平行な盤面に障碍釘が無いのと同じ状態から立設盤面の水平方向に起立回動する過程で、釘が順次０度から９０度盤面を横切るように水平方向起立回動するため、盤面と平行な０度から盤面に起立する９０度間にわたって順次連続して釘が変化し、例えば１０度の時、３５度の時、７０度の時等、起立過程でも遊技球が障碍釘に当接し、各起立過程の釘に当接し弾発した状態において連続的に弾発先が異なり、連続的な釘の変化が得られる。
従って遊技球の変化もその時々の釘状態で、弾発し跳ね返る位置方向が異なり、盤面のどの位置に設置してあっても意外性のある遊技球変化が得られ、遊技球変化に興趣が増すパチンコ機が得られる。
特に、入賞口の入り口上部に回動する障碍釘を設けることによって、盤面を落下する遊技球が意外性を持って入賞口に入ったり入らなかったりし、従来の盤面に打設した動かない障碍釘に比べて、遊技者にとっては大きな興趣が得られる。
【手続補正４】
【補正対象書類名】明細書
【補正対象項目名】０００７
【補正方法】変更
【補正の内容】
【０００７】
また、遊技盤面に入賞口と遊技球の流下方向を変化させる障碍釘を備えたパチンコ機であって、前記遊技盤が立設状態で水平方向に回動する回動障碍釘を２本対で設けると共に一方が起立すると他方が傾倒し、一方が傾倒すると他方が起立することを特徴とする。
これによって、障碍釘に当接して弾発する遊技球の弾発先は、大きな弾発方向、弾発移動範囲が得られ、また通常とは異なる大きな意外性の方向に移動し、大きな興趣が得られる。
また、前記回動障碍釘は２本対で設け、両方の障碍釘が互いに起立し、互いに傾倒するようにしてもよい。
この発明によって、両方の互いに起立傾倒する障碍釘の角度によっては、入賞口に入り易くなったり入り難くなったりするので大きな興趣が得られる。
【手続補正５】
【補正対象書類名】明細書
【補正対象項目名】０００８
【補正方法】変更
【補正の内容】
【０００８】
また、遊技盤面に入賞口と遊技球の流下方向を変化させる障碍釘を備えたパチンコ機であって、前記遊技盤が立設状態で水平方向に回動する回動障碍釘を設けると共に該回動障碍釘の先端が光るように光源を備えたことを特徴とする。
これによって、回動障碍釘の視認性が増し、大きな興趣が得られる。
【手続補正６】
【補正対象書類名】明細書
【補正対象項目名】０００９
【補正方法】変更
【補正の内容】
【０００９】
また、遊技盤面に入賞口と遊技球の流下方向を変化させる障碍釘を備えたパチンコ機であって、前記遊技盤が立設状態で水平方向に回動する回動障碍釘を設けると共に該回動障碍釘にのれん状帯体を吊り下げるように設けたことを特徴とする。
これによって、回動障碍釘の視認性が増すと共に、更に遊技球がのれん状帯体に当接すると、慣性力、衝撃力が急速に減退し、弾発方向、弾発位置、弾発力が大きく変化し、大きな意外性が得られ、大きな興趣が得られる。
【手続補正７】
【補正対象書類名】明細書
【補正対象項目名】００１０
【補正方法】変更
【補正の内容】
【００１０】
また、前記回動障碍釘は、水平方向の０度から起立状態の９０度に、更に傾倒して水平状態の１８０度に回動することを特徴とする。
回動障碍釘は、入賞口の入り口上部に１本設けるのが好ましい。
これによって、１本の障碍釘で０度から１８０度まで回動が行われ、釘の変化が大きく変わり、これに当接して弾発する遊技球の変化も大きく変わり、しかも入賞口の入り口において大きな意外性が得られ、大きな興趣が得られる。
【手続補正８】
【補正対象書類名】明細書
【補正対象項目名】００１１
【補正方法】変更
【補正の内容】
【００１１】
また、前記回動障碍釘は、複数本の障碍釘からなり、同じように回動するのが好ましい。
複数本の障碍釘を同じように回動させることによって、例えば上下方向に複数本並ぶ回動障碍釘を設けた場合は、遊技球の弾発移動範囲が特定の方向に弾発して方向が制限され、遊技球を所定の位置へ誘導するのが容易になる。
また水平方向に複数本並ぶ回動障碍釘を設けた場合は、落下した遊技球が回動障碍釘に当接して大きく弾発し易く、遊技球の弾発移動位置が無制限に広がり、遊技者にとって大きな意外性が得られる。
また、前記回動障碍釘に遊技球を障碍する障碍固定板を設けるようにしてもよい。
前記複数本の回動障碍釘に代えて障碍固定板を固定した場合も前記と同様、方向によって、例えば上下方向に設けた場合は遊技球の弾発移動位置を誘導しやすく、また水平方向に設けると遊技球の弾発移動位置が制限し難く、代わりに弾発先に意外性を持たせるパチンコ機とすることができる。
【手続補正９】
【補正対象書類名】明細書
【補正対象項目名】００１３
【補正方法】変更
【補正の内容】
【００１３】
遊技盤面１の回動障碍釘５、６設置部には盤面上に切欠き部１１が形成され、遊技盤が立設状態で水平方向に傾倒した回動障碍釘５，６が収納される。釘５，６の基端は歯車５１，６１に固定され、この歯車５１と６１は互いに噛み合っており、２本の回動障碍釘５，６が噛み合った歯車の間隔を離れて対に設置されている。また一方の回動障碍釘５の歯車５１が盤面に固定されたステッピングモータの駆動歯車４と噛み合っている。
図１のごとくステッピングモータの駆動歯車４が所定の回転数をゆっくりと右回転すると、歯車５１が左回転し、これに噛み合う歯車６１が右回転するので、図示のごとく両障碍釘５，６が盤面上水平状態から図２の起立状態まで順次立ち上がる。所定時間経過後、今度は図２のごとくステッピングモータの駆動歯車４が前記と逆に回転が行われると、両方の回動障碍釘５，６が図２の起立状態から図１のように順次傾倒し、最後に遊技盤面１の切欠き部１１内に水平状態に収納される。